(57)【要約】【課題】設置スペースの極めて小さいエレベータ構造を提供しようとする。提供しようとする。【解決手段】昇降路の上方又は下方に一対のチェーンを駆動する駆動手段が設けられ、かごの上面に第一のチェーンの一端を連結する第一連結部と、第二の前記チェーンの一端を連結する第二連結部が設けられ、かごの下面に第一連結部の垂直下方に位置して第一のチェーンの他端を連結する第三連結部が設けられ、かごの下面に第二連結部の垂直下方に位置して第二のチェーンの他端を連結する第四連結部が設けられ、かごの上面に、垂直方向に前記かごを貫通し第一のチェーンが挿通された第一貫通孔と、垂直方向にかごを貫通し第二のチェーンが挿通された第二貫通孔が設けられ、第一のチェーンが、第一連結部、第一貫通孔を経て第三連結部に至るように配置され、第二のチェーンが、第二連結部、第二貫通孔を経て前記第三連結部に至るように配置されたエレベータ構造である。【選択図】  図１
2004292082.tif 000002
【特許請求の範囲】
【請求項１】
かごと、前記かごを牽引する牽引手段とを備えるエレベータ構造であって、
前記牽引手段が前記かごを牽引する一対のチェーンと、該一対のチェーンをそれぞれ駆動する駆動手段を含み、
前記かごの昇降路の上方又は下方に前記駆動手段が設けられ、
前記かごの上面に第一の前記チェーンの一端を連結する第一連結部と、第二の前記チェーンの一端を連結する第二連結部が設けられ、
前記かごの下面に前記第一連結部の垂直下方に位置して前記第一のチェーンの他端を連結する第三連結部が設けられ、
前記かごの下面に前記第二連結部の垂直下方に位置して前記第二のチェーンの他端を連結する第四連結部が設けられ、
前記かごの上面に、垂直方向に前記かごを貫通し、前記第一のチェーンが挿通された第一貫通孔と、垂直方向に前記かごを貫通し、前記第二のチェーンが挿通された第二貫通孔が設けられ、
前記第一のチェーンが、前記第一連結部、前記第一貫通孔を経て前記第三連結部に至るように配置され、
前記第二のチェーンが、前記第二連結部、前記第二貫通孔を経て前記第三連結部に至るように配置された
エレベータ構造。
【請求項２】
前記かごが直方体形状をなし、
前記かごの上面の第一の隅部に前記第一連結部が設けられ、
前記かごの上面の第二の隅部に前記第二連結部が設けられ、
前記第一連結部と前記第二連結部とが前記かごの上面の一の対角線上に位置し、前記第一貫通孔と前記第二貫通孔とが前記かごの上面の他の対角線上に位置したエレベータ構造。
【請求項３】
更に前記第一連結部と近接しかつ垂直方向に延びる壁板を備え、該第一の壁板に垂直方向に配列した孔群が形成され、
前記第一連結部が、
基台部と、
ストッパと、
該ストッパを衝止する衝止台とを備え、
該基台部が該衝止台と前記壁板との間に配置され、
該ストッパは細長部材から成り、該基台部に、水平な軸心のまわりに回動自在に取り付けられ、
該ストッパの一の端部が前記第一のチェーンの一端に連結され、
該ストッパは、該ストッパが回転して前記ストッパの長手方向が略水平になったとき、該ストッパの他の端部が前記孔群の孔の一つに挿入される位置に、配置され、
前記衝止台は、該ストッパが回動して該ストッパの長手方向が略水平になったとき、該第一のストッパの一の端部を下から受ける位置に配置され、
該ストッパは、該ストッパの他の端部が前記孔の方向に動くように付勢され、
前記第一のチェーンの牽引張力が失われたときに、該ストッパが回動して、該ストッパの他の端部が前記孔群の孔の一つに挿入され前記かごの落下が妨げられる請求項１又は２に記載のエレベータ構造。
【請求項４】
更に、前記第二連結部と近接しかつ垂直方向に延びる第二の壁板を備え、
該第二の壁板に垂直方向に配列した第二の孔群が形成され、
前記第二連結部が
第二の基台部と、
第二のストッパと、
該第二のストッパを衝止する第二の衝止台とを備え、
該第二の基台部が該第二の衝止台と前記第二の壁板との間に配置され、
該第二のストッパは第二の細長部材から成り、該第二の基台部に、該第二のストッパの長手方向中央部を通りかつ水平な軸心のまわりに回動自在に取り付けられ、
該第二のストッパの一の端部が前記第二のチェーンの一端に連結され、
該第二のストッパは、該ストッパが回動して該ストッパの長手方向が略水平になったとき該ストッパの他の端部が前記第二の孔群の一つの孔に挿入される位置に、配置され、
前記第二の衝止台は、該第二のストッパが回転して該ストッパの長手方向が略水平になったとき、該ストッパの一の端部を下から受ける位置に配置され、
前記第二のストッパは、該ストッパの他の端部が前記第二の孔群の孔の方向に動くように付勢され、
前記第二のチェーンの牽引張力が失われたときに、前記第二のストッパが回動して前記第二のストッパの他の端部が前記第二の孔群の一つの孔に挿入され前記かごの落下が妨げられる請求項３に記載のエレベータ構造。
【請求項５】
更に前記昇降路を内側に形成する枠体を含み、該枠体が垂直方向に立つ枠柱を備え、前記壁板が該枠柱の構成要素である請求項３又は４に記載のエレベータ構造。
【請求項６】
前記駆動手段が水平に配され自身の長手方向の軸心を軸として正逆自在に回転可能な牽引用駆動シャフトと、前記牽引用駆動シャフトを正逆自在に回転駆動するモータと、一対のチェーンスプロケットとを備え、前記牽引用駆動シャフトの一端部と他端部が前記第一のチェーンと前記第二のチェーンとに前記チェーンスプロケットを介してそれぞれ連結されて、前記牽引用駆動シャフトの長手方向の軸心を軸とする回転が前記第一のチェーンと前記第二のチェーンの走行に変換されて前記かごの昇降がなされる請求項１乃至５のいずれかに記載のエレベータ構造。
【請求項７】
前記かごが構成要素として垂直方向に立つ中空のかご枠柱を含み、前記第一貫通孔及び前記第二貫通孔が該かご枠柱の中空部から成る請求項１乃至６のいずれかに記載のエレベータ構造。
【請求項８】
エレベータの外扉の開閉構造であって、
一対の外扉片を備え観音開きする外扉と、
各該外扉片の観音開きの回動軸側の側辺部の上端に上方に突出する回動用シャフトと、
閉じた状態の前記外扉片の面と平行にかつ自身の長手方向を水平にして配され軸心を軸として正逆自在に回転可能な水平シャフトと、２組のかさ歯車対と、前記水平シャフトを正逆自在に回転駆動するドア用モータとを備え、
前記水平シャフトの両端それぞれと各前記回動用シャフトとが各前記かさ歯車対を介して連結されて、前記水平シャフトの長手方向の軸心を軸とする回転が前記回動用シャフトの長手方向の軸心を軸とする回転に変換されて前記外扉の開閉がなされる外扉開閉構造。
【請求項９】
エレベータの内扉の開閉構造であって、
一対の内扉片を備え観音開きする内扉と、
各該内扉片の観音開きの回動軸側の側辺部の上端に上方に突出する内扉回動用シャフトと、
閉じた状態の前記内扉片の面と平行にかつ自身の長手方向を水平にして配され軸心を軸として正逆自在に回転可能な内扉用水平シャフトと、２組の内扉用かさ歯車対と、前記水平シャフトを正逆自在に回転駆動する内扉用駆動モータとを備え、
前記水平シャフトの両端それぞれと各前記内扉回動用シャフトとが各前記内扉用かさ歯車対を介して連結されて、前記内扉用水平シャフトの長手方向の軸心を軸とする回転が前記内扉回動用シャフトの長手方向の軸心を軸とする回転に変換されて前記内扉の開閉がなされる内扉開閉構造。
【請求項１０】
エレベータの内扉とホール側扉の開閉構造であって、
請求項９に記載の前記内扉開閉構造と、
閉じる方向にそれぞれ付勢された一対の外扉板を備えホール側に観音開きするホール側扉とを備えて成り、
前記内扉が外側に観音開きするとき、各前記外扉板が、各前記内扉片にそれぞれ押されて前記ホール側扉が観音開きする内外扉開閉構造。
【請求項１１】
請求項８に記載の外扉開閉構造、請求項９に記載の内扉開閉構造又は請求項１０に記載の内外扉開閉構造を備える請求項１乃至７のいずれかに記載のエレベータ構造。
【発明の詳細な説明】
【０００１】
【発明の属する技術分野】
本発明はエレベータ構造に関する。特には、コンパクトな構成のエレベータ構造に関する。
【０００２】
【従来の技術】
従来の小型エレベータは、図１３に示すように建造物２２０の少なくとも上下２箇所に入口４ａ、４ｂを配設し、荷物箱２１０は端部にウエイトバランサ２１５を垂下したロープ２１２でもって、図示略の駆動モータで回転するプーリ２１３及びガイド車２１４を介して昇降を行う。（例えば、特許文献１参照。）
【０００３】
このような構成においては、荷物箱２１０が昇降する昇降路のスペースの他にウエイトバランサ２１５が昇降するスペースを確保せねばならない。
【０００４】
又、一般にホール側の扉は、横開きが通常であり、戸袋のスペースを入り口の横の壁部に確保する必要がある。
【０００５】
このように昇降路に加えて、多くのスペーを要する構成は、家庭用のエレベータ等にとって問題であり、設置スペースの小さいエレベータ構造が望まれている。
【０００６】
【特許文献１】
特開平５−１５５５５６号公報（第１図）
【０００７】
【発明が解決しようとする課題】
本発明は、これら問題点に鑑み設置スペースの極めて小さいエレベータ構造を提供しようとする。
【０００８】
【課題を解決するための手段】
本発明の要旨とするところは、
かごと、前記かごを牽引する牽引手段とを備えるエレベータ構造であって、
前記牽引手段が前記かごを牽引する一対のチェーンと、該一対のチェーンをそれぞれ駆動する駆動手段を含み、
前記かごの昇降路の上方又は下方に前記駆動手段が設けられ、
前記かごの上面に第一の前記チェーンの一端を連結する第一連結部と、第二の前記チェーンの一端を連結する第二連結部が設けられ、
前記かごの下面に前記第一連結部の垂直下方に位置して前記第一のチェーンの他端を連結する第三連結部が設けられ、
前記かごの下面に前記第二連結部の垂直下方に位置して前記第二のチェーンの他端を連結する第四連結部が設けられ、
前記かごの上面に、垂直方向に前記かごを貫通し、前記第一のチェーンが挿通された第一貫通孔と、垂直方向に前記かごを貫通し、前記第二のチェーンが挿通された第二貫通孔が設けられ、
前記第一のチェーンが、前記第一連結部、前記第一貫通孔を経て前記第三連結部に至るように配置され、
前記第二のチェーンが、前記第二連結部、前記第二貫通孔を経て前記第三連結部に至るように配置された
エレベータ構造であることにある。
【０００９】
前記エレベータ構造においては、前記かごが直方体形状をなし得、
前記かごの上面の第一の隅部に前記第一連結部が設けられ得、
前記かごの上面の第二の隅部に前記第二連結部が設けられ得、
前記第一連結部と前記第二連結部とが前記かごの上面の一の対角線上に位置し得、
前記第一貫通孔と前記第二貫通孔とが前記かごの上面の他の対角線上に位置し得る。
【００１０】
前記エレベータ構造は、前記第一連結部と近接しかつ垂直方向に延びる壁板を備え得、
前記エレベータ構造においては、該第一の壁板に垂直方向に配列した孔群が形成され得、
前記第一連結部が、
基台部と、
ストッパと、
該ストッパを衝止する衝止台とを備え得、
該基台部が該衝止台と前記壁板との間に配置され得、
該ストッパは細長部材から成り、該基台部に、水平な軸心のまわりに回動自在に取り付けられ得、
該ストッパの一の端部が前記第一のチェーンの一端に連結され得、
該ストッパは、該ストッパが回転して前記ストッパの長手方向が略水平になったとき、該ストッパの他の端部が前記孔群の孔の一つに挿入される位置に、配置され得、
前記衝止台は、該ストッパが回動して該ストッパの長手方向が略水平になったとき、該第一のストッパの一の端部を下から受ける位置に配置され得、
該ストッパは、該ストッパの他の端部が前記孔の方向に動くように付勢され得、前記第一のチェーンの牽引張力が失われたときに、該ストッパが回動して、該ストッパの他の端部が前記孔群の孔の一つに挿入され前記かごの落下が妨げられ得る。
【００１１】
前記エレベータ構造は、前記第二連結部と近接しかつ垂直方向に延びる第二の壁板を備え得、
前記エレベータ構造においては、該第二の壁板に垂直方向に配列した第二の孔群が形成され得、
前記第二連結部が
第二の基台部と、
第二のストッパと、
該第二のストッパを衝止する第二の衝止台とを備え得、
該第二の基台部が該第二の衝止台と前記第二の壁板との間に配置され得、
該第二のストッパは第二の細長部材から成り、該第二の基台部に、該第二のストッパの長手方向中央部を通りかつ水平な軸心のまわりに回動自在に取り付けられ得、
該第二のストッパの一の端部が前記第二のチェーンの一端に連結され得、
該第二のストッパは、該ストッパが回動して該ストッパの長手方向が略水平になったとき該ストッパの他の端部が前記第二の孔群の一つの孔に挿入される位置に、配置され得、
前記第二の衝止台は、該第二のストッパが回転して該ストッパの長手方向が略水平になったとき、該ストッパの一の端部を下から受ける位置に配置され得、
前記第二のストッパは、該ストッパの他の端部が前記第二の孔群の孔の方向に動くように付勢され得、
前記第二のチェーンの牽引張力が失われたときに、前記第二のストッパが回動して前記第二のストッパの他の端部が前記第二の孔群の一つの孔に挿入され前記かごの落下が妨げられ得る。
【００１２】
前記エレベータ構造は前記昇降路を内側に形成する枠体を含み得、前記エレベータ構造においては、該枠体が垂直方向に立つ枠柱を備え得、前記壁板が該枠柱の構成要素であり得る。
【００１３】
前記エレベータ構造においては、前記駆動手段が水平に配され自身の長手方向の軸心を軸として正逆自在に回転可能な牽引用駆動シャフトと、前記牽引用駆動シャフトを正逆自在に回転駆動するモータと、一対のチェーンスプロケットとを備え得、前記牽引用駆動シャフトの一端部と他端部が前記第一のチェーンと前記第二のチェーンとに前記チェーンスプロケットを介してそれぞれ連結されて、前記牽引用駆動シャフトの長手方向の軸心を軸とする回転が前記第一のチェーンと前記第二のチェーンの走行に変換されて前記かごの昇降がなされ得る。
【００１４】
前記かごは、構成要素として垂直方向に立つ中空のかご枠柱を含み得、前記第一貫通孔及び前記第二貫通孔が該かご枠柱の中空部から成り得る。
【００１５】
又、本発明の要旨とするところは、
エレベータの外扉の開閉構造であって、
一対の外扉片を備え観音開きする外扉と、
各該外扉片の観音開きの回動軸側の側辺部の上端に上方に突出する回動用シャフトと、
閉じた状態の前記外扉片の面と平行にかつ自身の長手方向を水平にして配され軸心を軸として正逆自在に回転可能な水平シャフトと、２組のかさ歯車対と、前記水平シャフトを正逆自在に回転駆動するドア用モータとを備え、
前記水平シャフトの両端それぞれと各前記回動用シャフトとが各前記かさ歯車対を介して連結されて、前記水平シャフトの長手方向の軸心を軸とする回転が前記回動用シャフトの長手方向の軸心を軸とする回転に変換されて前記外扉の開閉がなされる外扉開閉構造であることにある。
【００１６】
更に、本発明の要旨とするところは、エレベータの内扉の開閉構造であって、一対の内扉片を備え観音開きする内扉と、
各該内扉片の観音開きの回動軸側の側辺部の上端に上方に突出する内扉回動用シャフトと、
閉じた状態の前記内扉片の面と平行にかつ自身の長手方向を水平にして配され軸心を軸として正逆自在に回転可能な内扉用水平シャフトと、２組の内扉用かさ歯車対と、前記水平シャフトを正逆自在に回転駆動する内扉用駆動モータとを備え、
前記水平シャフトの両端それぞれと各前記内扉回動用シャフトとが各前記内扉用かさ歯車対を介して連結されて、前記内扉用水平シャフトの長手方向の軸心を軸とする回転が前記内扉回動用シャフトの長手方向の軸心を軸とする回転に変換されて前記内扉の開閉がなされる内扉開閉構造であることにある。
【００１７】
又更に、本発明の要旨とするところは、エレベータの内扉とホール側扉の開閉構造であって、
請求項９に記載の前記内扉開閉構造と、
閉じる方向にそれぞれ付勢された一対の外扉板を備えホール側に観音開きするホール側扉とを備えて成り、
前記内扉が外側に観音開きするとき、各前記外扉板が、各前記内扉片にそれぞれ押されて前記ホール側扉が観音開きする内外扉開閉構造であることにある。
【００１８】
又、本発明の要旨とするところは、前記外扉開閉構造、前記内扉開閉構造又は前記内外扉開閉構造を備える前記エレベータ構造であることにある。
【００１９】
【発明の実施の形態】
本発明に係る態様を図面に基づいて詳しく説明する。なお、本明細書においては、各図にわたって記される同じ符号は同一又は同様の部材やものを示す。図１の本発明のエレベータ構造２を側面がわからみた説明図と図２の要部斜視模式図において、エレベータ構造２は直方体形状のかご４と、かご４を牽引する牽引手段６と、昇降路８を形成する枠体１０と、外扉１２と、扉１２を開閉する開閉手段１１５とを備える。外扉１２は、一階ホール１７、二階ホール１９にそれぞれ設けられる。
【００２０】
図２の要部斜視模式図に示すように、牽引手段６は一端１３でかご４を牽引する第一のチェーン１４、及び一端１５でかご４を牽引する第二のチェーン１６と、チェーン１４、１６をそれぞれ駆動する駆動手段１８とから成る。
【００２１】
駆動手段１８は枠体１０の昇降路８の部分より上部に設けられている。枠体１０の昇降路より下部にチェーン１４、１６をそれぞれ案内する第一ガイド部５０と第二ガイド部５２とが設けられている。
【００２２】
かご４の上面２１の第一の隅部２０に第一のチェーン１４の一端１３を連結する第一連結部２２が設けられている。又、かご４の上面２１の第二の隅部２７に第二のチェーン１６の一端１５を連結する第二連結部２６が設けられている。これにより、かご４がチェーン１４、１６で牽引される。
【００２３】
なお、図３に示すように枠体１０は、枠体１０の縦の四隅に配された枠柱７０と、隣接の枠柱７０同士の間隔を保持する横梁７６とで構成されている。枠体１０は昇降路８を形成する構造を有するものであれば図示以外のほかの構造を有するものであってもよい。
【００２４】
又、第一連結部２２と第二連結部２６とは図４の上面模式図に示すように、かご４の上面２１の一の対角線３０上に位置している。即ち、かご４の上面２１が形成する正方形又は矩形の、対角の位置関係にある隅に位置している。この第一連結部２２と第二連結部２６の配置関係により、第一のチェーン１４、第二のチェーン１６という２本だけのチェーンによる牽引にもかかわらず、かご４の昇降が非常に安定する。
【００２５】
更に、図２の要部斜視模式図において、第一の隅部２０の垂直下方に位置する、かご４の下面２３の第一の隅部３３に第一のチェーン１４の他端３５を連結する第三連結部３６が設けられている。又、かご４の上面２１の第三の隅部３９に、垂直方向にかごを貫通する第一貫通孔４０が設けられ、第一のチェーン１４が第一貫通孔４０に挿通されている。第一のチェーン１４が第一連結部２２、駆動手段１８、第一貫通孔４０、第一ガイド部５０をこの順に巡って第三連結部３６に至るように配置されている。駆動手段１８により、第一のチェーン１４を走行させることにより、第一のチェーン１４がかご４を牽引する。
【００２６】
他方、第二の隅部２７の垂直下方に位置する、かご４の下面２３の第二の隅部３２に第二のチェーン１６の他端３４を連結する第四連結部３７が設けられている。又、かご４の上面２１の第四の隅部３８に、垂直方向にかごを貫通する第二貫通孔４１が設けられ、第二のチェーン１６が第二貫通孔４１に挿通されている。第二のチェーン１６が第二連結部２６、駆動手段１８、第二貫通孔４１、第二ガイド部５２をこの順に巡って第四連結部３７に至るように配置されている。駆動手段１８により、第二のチェーン１６を走行させることにより、第二のチェーン１６がかご４を牽引する。
【００２７】
図５の牽引手段６の拡大要部斜視模式図にあわせて示すように、駆動手段１８は、自身の長手方向の軸心を軸として正逆自在に回転可能に水平に配された牽引用駆動シャフト６０と、牽引用駆動シャフト６０を駆動ベルト５９、プーリ９４を介して正逆自在に回転駆動するモータ６２とを備えている。牽引用駆動シャフト６０の一端部と他端部にチェーンスプロケット６４、６６がそれぞれ取り付けられ、第一のチェーン１４がチェーンスプロケット６６と噛合している。即ち、第一のチェーン１４がチェーンスプロケット６６を介して牽引用駆動シャフト６０に連結され、同時に第二のチェーン１６がチェーンスプロケット６４を介して牽引用駆動シャフト６０に連結されている。これにより、牽引用駆動シャフト６０の長手方向の軸心を軸とする回転が第一のチェーン１４と第二のチェーン１６の走行に変換されてかご４の昇降がなされる。
【００２８】
チェーンスプロケット６６の前後には、位置決めのためのアイドラプーリ７３、７５と、第一のチェーン１４を直角に方向転換するガイドプーリ７１、７７がそれぞれ横並びで設けられている。チェーンスプロケット６４の前後には、位置決めのためのアイドラプーリ８３、８７と、第二のチェーン１６を直角に方向転換するガイドプーリ８１、８９がそれぞれ横並びで設けられている。これらのプーリは、基板１０９に搭載されている。
【００２９】
第一のチェーン１４は、チェーンスプロケット６６の下方周縁でチェーンスプロケット６６と噛み合い、第二のチェーン１６は、チェーンスプロケット６４の上方周縁でチェーンスプロケット６４と噛み合う。これにより、牽引用駆動シャフト６０が第一のチェーン１４と第二のチェーン１６とを同時にかご４を同じ方向に牽引するように駆動する。
【００３０】
このように、牽引手段６は、基板１０９上の僅かな高さの空間に収められる。又、僅かな高さの空間に収められているにもかかわらず、上述のコンパクトな構成で第一のチェーン１４と第二のチェーン１６とを確実に駆動する。
【００３１】
図６に牽引手段の他の態様の一例である牽引手段６ａを示す。牽引手段６ａにおいては、駆動手段１８ａが、正逆自在に回転駆動するモータ６２と、モータ６２の駆動軸に直結する駆動スプロケット６７と、自身の長手方向の軸心を軸として正逆自在に回転可能に水平に配された牽引用駆動シャフト６０とから構成される。牽引用駆動シャフト６０の一端部と他端部にチェーンスプロケット６４、６６がそれぞれ取り付けられ、第一のチェーン１４がチェーンスプロケット６６、駆動スプロケット６７と噛合している。即ち、第二のチェーン１６が駆動スプロケット６７、チェーンスプロケット６４を介して牽引用駆動シャフト６０に連結され、同時に第一のチェーン１４がチェーンスプロケット６６を介して牽引用駆動シャフト６０に連結されている。これにより、牽引用駆動シャフト６０の長手方向の軸心を軸とする回転が第一のチェーン１４と第二のチェーン１６の走行に変換されてかご４の昇降がなされる。
【００３２】
チェーンスプロケット６４の前後には、第二のチェーン１６を直角に方向転換するガイドプーリ８１、８９がそれぞれ横並びで設けられている。チェーンスプロケット６６の近傍には位置決めのためのアイドラプーリ５５が、チェーンスプロケット６６の前後には第二のチェーン１６を直角に方向転換するガイドプーリ７１、７７がそれぞれ横並びで設けられている。これらのプーリは、基板１０９に搭載されている。牽引手段６ａも基板１０９上の僅かな高さの空間に収められる。又、牽引手段６ａは牽引手段６におけるような駆動ベルト５９を必要とせず、アイドラプーリの数も少なく、構成要素の数が少ないので構造を簡易化できて好ましい。
【００３３】
牽引手段６、６ａのような牽引手段は、昇降路８の下方に収められてもよい。この場合は、第一ガイド部５０、第二ガイド部５２が昇降路８の上方に収められる。
【００３４】
又、図７に、かご４の第一貫通孔４０近傍の横断面説明図を示す。かご４の構造部材であるかご枠柱１５３が中空の柱状物から構築されており、その中空部が第一貫通孔４０となっている。かご枠柱１５３はかご４の２つの側面接合部に相当する位置に、かご枠柱１５３の長手方向を垂直にして配置されている。枠柱７０がかご枠柱１５３と近接して位置する。枠柱７０は枠体１０の形状を長方体形状とみなしたときの垂直方向の２つの面の接合部に相当する位置に配置される。枠柱７０は輪切り断面が中空のＬ字型となっている。枠柱７０は一体に成形されていてもよいが、垂直方向に延びる部材Ａ、Ｂ、Ｃが組み合わされて成るものであってもよい。かご枠柱１５３も一体に成形されていてもよいが、垂直方向に延びる部材Ｄ、Ｅが組み合わされて成るものであってもよい。符号１０１はかご４の側壁である。
【００３５】
図８に、かご４の上面の第一連結部２２の近傍の構成を、かご４の上面の中心部の上方からの要部斜視模式図として示す。又、図８に対応して第一連結部２２の近傍の構成を、図９（ａ）に正面模式図、図９（ｂ）に側面模式図として示す。
【００３６】
枠柱７０の構成要素である、かご４の側壁１０１に面した枠柱７０の面７２には、垂直方向にほぼ等間隔に配列した孔８０の群が形成されている。又、第一連結部２２が、基台部８２と、ストッパ８４と、ストッパ８４を衝止する衝止台８６とを備えている。基台部８２と衝止台８６はかご４の上面に立設されている。又、基台部８２は衝止台８４と壁板７２の間に配置される。ストッパ８４は細長部材から成り、ストッパ８４の長手方向中央部を通りかつ水平な軸心のまわりに回動自在となる状態で、基台部８２に取り付けられている。基台部８２は、一対の板部材９０、９２から成り、板部材９０、９２は互いに間隔をおいて互いの面を平行にしてかご枠柱１５５の上端部に固定されている。かご枠柱１５５はかご４の構造部材であり、かご４の２つの側面の接合部に相当する位置に垂直に配置されている。かご枠柱１５５も一体に成形されていてもよいが、垂直方向に延びる部材Ｄ、Ｅが組み合わされて成るものであってもよい。
【００３７】
ストッパ８４はその長手方向中央部からその長手方向に直交して円柱状の軸体９６、９６が互いに反対方向に突出している。板部材９０、９２には両者を水平方向に貫通する軸受け貫通孔９８が形成され、軸体９６、９６がそれぞれ挿入されて、ストッパが水平な軸心のまわりに回動自在となる。
【００３８】
ストッパ８４の一の端部１００が第一のチェーン１４の一端に連結される。かご４が第一のチェーン１４で牽引されているときは、ストッパ８４が長手方向を垂直にして、第一のチェーン１４が、板部材９０、９２、軸体９６、９６、ストッパ８４を介してかご４を牽引する。
【００３９】
ストッパ８４はストッパ付勢手段１０２により、軸体９６の方向にみて衝止台８６を右にみたとき時計まわりに付勢されている。ストッパ付勢手段１０２はコイルバネ１０６等により構成されている。軸体９６の一端部に軸体９６の長手方向と直交してレバー１０４が設けられ、一方、板部材９０の一側縁部から板部材９０の面に直交して止め板１０８が延出される。コイルバネ１０６のコイル部が、軸体９６に外挿されコイルバネ１０６の一の端部の直線状の部分が止め板１０８に当接し、コイルバネ１０６の他の端部の直線状の部分がレバー１０４に当接して、ストッパ８４がレバー１０４を介して付勢される。
【００４０】
第一のチェーン１４が切れるなどしてチェーン１４の牽引張力が失われると、ストッパ８４が付勢力で回転してストッパ８４の他の端部８５が孔８０のうちの一つに挿入される。同時にストッパ８４のその回転により、ストッパ８４の長手方向が略水平になったとき、ストッパ８４の一端部１００を衝止台８６が下から受けとめて、ストッパ８４は自身の長手方向を略水平にして停止する。この状態でかご４が落下しようとしても、孔８０に挿入状態のストッパ８４の他端部８５が孔８０の下縁を受け止めて停止させ、これによりかご４のが落下が妨げられる。なお、図９（ａ）における符号１３７はかご４の構成要素である横梁であり、ボルト１４１は、板部材９０をかご枠柱１５５に固定する固定ボルトである。
【００４１】
このような停止の機構は過大なスペースや複雑な機構を必要とせず、かつ作動が確実なので、省スペースのエレベータ構造に好適に用いられる。この停止の機構は第二連結部２６にも採用されていることがかご４の停止の作動が更に確実になり好ましい。
【００４２】
又、図４に示すように、枠柱７０が枠体１０の縦方向の４辺を構成する構成要素となり、かつ、枠柱７０がかご４を囲み、かご４の昇降の案内面の機能を果たし、かご４の昇降が極めて安定する。
【００４３】
更に、本発明のエレベータ構造は、図１０（ａ）の正面模式図、図１０（ｂ）の平面模式図及び図１１の拡大要部正面模式図に示す外扉開閉構造１２３を備える。外扉開閉構造１２３においては、外扉（ホール側の扉）１２が、ホール側に観音開きする一対の外外扉片１１０、１１１から成り、外外扉片１１０、１１１が、観音開きの回動軸側の辺部１１４の上端に上方に突出する回動用シャフト１１６、１１７をそれぞれ備える。又、外扉片１１０、１１１は辺部１１４の下端に下方に突出する下方の回動用シャフト１１８をそれぞれ備える。外扉片１１０、１１１はそれぞれ回動用シャフト１１６、１１７と下方の回動用シャフト１１８、１１８を回動軸として回動する。下方の回動用シャフト１１８の下方には下方の回動用シャフト１１８を支承する軸受け部１２０、１２０がホール床１１９の先端部に埋め込まれて設けられている。
【００４４】
外扉１２を開閉駆動する開閉手段１１５が、外扉１２の上方に設けられる。開閉手段１１５は水平シャフト１３０を備える。水平シャフト１３０は、閉じた状態の外扉片１１０、１１１の面と自身の長手方向を平行にかつ水平に配され、自身の長手方向の軸心を軸として正逆自在に回転可能とされている。水平シャフト１３０の一端１３１と回動用シャフト１１６の上端とがかさ歯車対１２４を介して連結されている。水平シャフト１３０の他端１３２と回動用シャフト１１７の上端とがかさ歯車対１２５を介して連結されている。これにより水平シャフト１３０の回転が回動用シャフト１１６、１１７の自身の長手方向の軸心１６８を軸とする回転に変換されて外扉片１１０、１１１の開閉がなされる。
【００４５】
水平シャフト１３０は、正逆自在に回転駆動するドア用モータ１４０によりギア群１４２を介して駆動される。
【００４６】
図１１における符号１６０、１６４は外扉１２及び開閉手段１１５を取り付けるためのフレーム、符号１６２は開閉手段１１５を搭載するベース基板、符号１１９は外扉片１１０を補強する補強板部である。符号１６６はかさ歯車対１２４を装着するためのブラケットである。
【００４７】
開閉手段１１５は、このように水平シャフト１３０、かさ歯車対１２４、１２５、ドア用モータ１４０、ギア群１４２を備えるが、これらはすべて外扉１２の上方に設けられる横長の僅かなスペースに収納される。開閉手段１１５は、僅かなスペースに収納されているにもかかわらず、上述のコンパクトな構成で左右の外扉片１１０、１１１を確実に駆動する。又、軸受け部１２０、１２０も、外扉１２の下方に設けられる横長の更に僅かなスペースに収納される。従って、本発明の外扉開閉構造１２３は、外扉１２を設置するために要する機器や部材の収納スペースは極めて少ない。
【００４８】
以上詳述のエレベータ構造からわかるように、本発明のエレベータ構造を設置するスペースは、かご４の側壁から僅かな間隔を隔ててかご４を囲んで昇降路を形成する枠体１０が占有するスペースと、昇降路の上方に設けられ駆動手段１８が占有するスペースと、昇降路の下方に設けられ第一ガイド部５０第二ガイド部５２とが占有するスペースと、閉じた状態の外扉１２が占有するスペースと、閉じた状態の外扉１２の上方に設けられ外扉１２を開閉駆動する開閉手段１１５が占有する横長のスペースと、外扉１２の下方に設けられ軸受け部１２０、１２０が占有する横長のスペースとから成り、これらを合わせたスペースは、従来のエレベータ構造が占有するスペースに比べ極めて小さい。
【００４９】
開閉手段１１５は、かご扉（内扉）にも適用でき、かご扉の開閉手段をコンパクトにすることが出来る。この態様の一例である内扉開閉構造１８０を図１２に示す。図１２の平面説明図において、かご４の出入り口開口部１７０に観音開きする内扉１７２が設置される。内扉１７２は、左右にそれぞれ配される内扉片１７３、１７３から成る。各内扉片１７３、１７３の回転軸がわの側辺部１７５の上方には、それぞれ、図１０、図１１に示すものと同様な機構の内扉用かさ歯車対１７４、１７４が配置されている。内扉用かさ歯車対１７４、１７４は水平かつ閉じた状態の内扉片１７３の面と平行に配された一本の内扉駆動用シャフト（内扉用水平シャフト）（軸心のみ一点鎖線Ｊで示す。）で連結され、その内扉駆動用シャフトが不図示の駆動モータで駆動される。この駆動の機構も、図１０、図１１に示す外扉１２を開閉する機構と同様である。即ち、各内扉片１７３の観音開きの回動軸側の側辺部の上端には上方に突出する不図示の内扉回動用シャフトとが立設され、内扉用水平シャフトの長手方向の軸心を軸とする回転が内扉回動用シャフトの長手方向の軸心を軸とする回転に変換されて内扉１７２の開閉がなされる。内扉用かさ歯車対１７４、１７４、内扉駆動用シャフト、駆動モータを含む内扉開閉手段１７６は、かご４の開口部１７０の上方の極めて狭い区域Ｋに納めることが出来る。なお、符号１９０は枠体１０を囲む壁であり、符号１９２は壁１９０に連なる柱である。
【００５０】
更に、図１２の態様においては、内扉開閉構造１８０を利用してホール側扉の開閉機構を簡略化できる。即ち、図１２の内外扉開閉構造１９６においては観音開きするホール側扉１２ａが左右にそれぞれ配される外扉板１８１、１８１を備えて成る。各外扉板１８１、１８１の回転軸がわの側辺部１８２は、ホールの側壁１８４に固定されて立設する左右のステー枠１８６、１８６に丁番１８７を介してそれぞれ軸着している。又、外扉板１８１、１８１はそれぞれ、不図示のバネ等を用いた付勢手段により、閉じる方向に付勢されている。外扉板１８１、１８１はそれぞれ、不図示の衝止部材により閉じた状態で衝止する構成となっている。
【００５１】
かご４がホールに面して正規の位置で停止し、内扉開閉手段１７６により内扉１７２が外側に開く過程で、内扉片１７３、１７３がそれぞれ、外扉板１８１、１８１を内側から押し広げる。これによりホール側扉１２ａが開く。又、内扉開閉手段１７６により内扉１７２が閉じる過程では、ホール側扉１２ａは付勢力で閉じる。
【００５２】
このように、図１２の態様は、内扉開閉手段１７６のみで内扉１７２とホール側扉１２ａを開閉できる内外内扉開閉構造１９９となっている。内外内扉開閉構造１９９により、うちそと両扉の開閉機構が簡易化される。
【００５３】
以上本発明のエレベータ構造の態様を説明したが、本発明はその趣旨を逸脱しない範囲で、当業者の知識に基づき種々の改良、修正、変形を加えた態様で実施し得るものであり、これらの態様はいずれも本発明の範囲に属するものである。
【００５４】
例えば、第一連結部２２と第二連結部２６とが、かご４の上面２１が形成する正方形又は矩形の、一対の対向する辺のそれぞれの中央部近傍に相当する位置に位置していてもよい。又、かご４の上面（横外断面）形状は円形や六角、八角等の多角形状であってもよい。
【００５５】
【発明の効果】
本発明のエレベータ構造は、上述の構成により、確実に作動しかつ設置のために占有するスペースが小さい。
【００５６】
本発明の外扉開閉構造は設置のために占有するスペースが小さい。
本発明の内扉開閉構造は設置のために占有するスペースが小さい。
本発明の内外扉開閉構造は設置のために占有するスペースが小さい。
【図面の簡単な説明】
【図１】本発明のエレベータ構造の側面からみた説明図である。
【図２】本発明のエレベータ構造の要部斜視模式図である。
【図３】本発明のエレベータ構造における枠体の構造の一例を示す斜視模式図である。
【図４】本発明のエレベータ構造の上面模式図である。
【図５】本発明のエレベータ構造における牽引手段の拡大要部斜視模式図である。
【図６】本発明のエレベータ構造における牽引手段の他の態様の一例の斜視模式図である。
【図７】本発明のエレベータ構造における第一貫通孔近傍の横断面説明図である。
【図８】本発明のエレベータ構造における第一連結部の構成を、かごの上面の中心部の上方からみた要部斜視模式図である。
【図９】図９（ａ）は、第一連結部の構成の図８に対応した正面模式図、図９（ｂ）は側面模式図である。
【図１０】本発明のエレベータ構造における外扉と外扉を開閉駆動する開閉手段の構成を示し、図１０（ａ）は正面模式図、図１０（ｂ）は平面模式図である。
【図１１】図１０の拡大要部正面模式図である。
【図１２】本発明の内扉開閉構造及び内外扉開閉構造の構成を示す平面模式図である。
【図１３】従来の小型エレベータ構造の側面模式図である。
【符号の説明】
２：エレベータ構造
４：かご
６：牽引手段
８：昇降路
１０：枠体
１２、１２ａ：外扉
１４：第一のチェーン
１６：第二のチェーン
１８：駆動手段
２２：第一連結部
２６：第二連結部
３６：第三連結部
３７：第四連結部
４０：第一貫通孔
４１：第二貫通孔
５０：第一ガイド部
５２：第二ガイド部
７０：枠柱
８０：孔
８２：基台部
８４：ストッパ
８６：衝止台
１０２：ストッパ付勢手段
１１０、１１１：扉片
１１５：開閉手段
１１６、１１７：回動用シャフト
１１８：下方の回動用シャフト
１２４、１２５：かさ歯車対
１３０：水平シャフト
１５３、１５５：かご枠柱
【図１】
2004292082.tif 000003
【図２】
2004292082.tif 000004
【図３】
2004292082.tif 000005
【図４】
2004292082.tif 000006
【図５】
2004292082.tif 000007
【図６】
2004292082.tif 000008
【図７】
2004292082.tif 000009
【図８】
2004292082.tif 000010
【図９】
2004292082.tif 000011
【図１０】
2004292082.tif 000012
【図１１】
2004292082.tif 000013
【図１２】
2004292082.tif 000014
【図１３】
2004292082.tif 000015